(57)【要約】      （修正有）【課題】多色印刷を可能にし、圧着チラシとして取り扱え、折込機の丁合の際に引っかかりをなくし、更にミシン目から切断すると袋体となる折込広告印刷物を提供する。【解決手段】折込広告印刷物１０は、紙製の袋体１２と、広告宣伝用の文字や模様からなる印刷部１４とを有し、袋体１２は、表面部１２ａと裏面部１２ｂとを有している。袋体１２の下部には、表面部１２ａから裏面部１２ｂ側に折り返すことで閉止部１６が形成されている。袋体１２の右および左側面部には、表面部１２ａと裏面部１２ｂの両端側を所定の幅で接着することで難剥離性閉止部１８が形成され、袋体12の上部側には、表面部１２ａと裏面部１２ｂの上端側を所定の幅で、一過性接着剤で接着することで剥離可能な閉止部２０が形成されている。印刷部１４は、袋体１２をイベント会場に持参すると、景品を当該袋体１２内に詰めこむことができることの表示内容が含まれている。【選択図】図１
0003181579.tif 000002
【実用新案登録請求の範囲】
【請求項１】
表面部と裏面部とを有する長方形状の紙製袋体と、前記表面部およびまたは裏面部に設けられた広告宣伝用の文字や模様からなる印刷部とを備えた折込広告印刷物であって、
前記紙製袋体の下部に、紙を前記表面部から裏面部側に折り返すこと、または、前記表面部と裏面部とを接着することで形成される難剥離性閉止部と、
前記紙製袋体の両側部に、前記表面部と裏面部とを接着することで形成される難剥離性閉止部と、
前記紙製袋体の上部側に、前記表面部と裏面部とを一過性接着剤で接着することで形成される剥離可能な閉止部と、
前記紙製袋体の上部側に位置し、表裏面に位置対応して設けられた一対のミシン目部とを備え、
前記広告宣伝用文字には、販売・展示場の情報と共に、前記紙製袋体を販売・展示場に持参すると、前記袋体の上部側の剥離可能な閉止部を開封し、景品を当該袋体内に詰めこむことができることの表示内容が含まれるとともに、
前記ミシン目部は、ミシン目を連続させて、上方に折畳むと、前記袋体を貫通する指挿通孔を形成することを特徴とする折込広告印刷物。
【請求項２】
前記ミシン目部は、最下端に下方に突出する舌片が設けられた下方に湾曲した円弧状に形成され、前記指挿通孔を細長い小判状に形成するとともに、
前記ミシン目を連続させて、上方に折り畳んだときに、前記舌片を挿入するスリットを設けたことを特徴とする請求項1記載の折込広告印刷物。
【請求項３】
前記袋体は、上端側に表面側の紙面を裏面側の紙面よりも短くして、段差部を設け、当該段差部を前記剥離可能な閉止部の引き離し用の開封代とすることを特徴とする請求項１または２記載の折込広告印刷物。
【請求項４】
前記袋体は、上端縁から所定の間隔を隔ててその下方に位置し、かつ、前記ミシン目部から上方に所定の間隔を隔てた位置にあって、前記上端縁と平行に延びる折り返し用のミシン目部を設けたことを特徴とする請求項1から3のいずれか１項記載の折込広告印刷物。
【請求項５】
前記紙製袋体は、その内面側の前記閉止部を形成するための接着剤塗布領域以外の領域に、撥水性の顔料インクを塗布することを特徴とする請求項1から４のいずれか１項記載の折込広告印刷物。
【考案の詳細な説明】
【技術分野】
【０００１】
本考案は、新聞などに折り込まれる広告印刷物に関し、特に、来場者を促進するための広告印刷物に関するものである。
【背景技術】
【０００２】
動産や不動産を販売する際には、従来、価格や場所などが表示された広告印刷物を作成し、作成した広告印刷物を、販売箇所の近傍に配布されている新聞に折り込んで、宣伝活動を行う、いわゆる、折込広告印刷物が採用されていた。しかし、このような折込広告印刷物では、広告印刷物を見たとしても、販売場所まで来る人は、直近に購入を予定しているどの限定された人しか集めることができず、集客のための宣伝効果が十分に得られなかった。
【０００３】
そこで、たとえば、特許文献1には、より多くの集客効果が見込める折込広告印刷物が提案されている。この文献1に開示されている新聞折込広告用印刷物は、板状に押し潰したポリエチレン筒状体を適当な間隔を保って、上下幅方向に２箇所で切断し、下切断端に沿ってシールして閉じ縁を形成すると共に、上切断端の近傍に横長の指挿通用吊り下げ穴を開設して形成した吊下げ袋の外側に、少なくとも、「動産・不動産の特別販売日」、「この袋いっぱいに」、「詰め放題」という趣旨の用語、および詰め放題の対象となる品物の文字と、動産・不動産の販売・展示場を印刷することを要旨としている。  しかしながら、特許文献1に提案されている新聞折込広告印刷物には、以下に説明する技術的な課題があった。
【先行技術文献】
【特許文献】
【０００４】
【特許文献１】実用新案登録第３１５８９２１号
【考案の概要】
【考案が解決しようとする課題】
【０００５】
特許文献１に提案されている折込広告印刷物では、印刷物を持参して販売・展示場に来ると、吊下げ袋に形成されている印刷物内に、景品を詰め放題にできるという利益があることを表示するので、集客の増加が期待できるものの、吊下げ袋がポリエチレンで形成されていることから、以下の問題があった。
【０００６】
すなわち、ポリエチレン製の吊下げ袋は、比較的薄く、温度変化や外力の影響により伸縮量が大きい、このため、袋の表面ないしは裏面に、印刷を施す際に、多色印刷にすると、伸縮量の大きさが影響して、版ズレが発生する危険性がおおきく、通常は、単色印刷しか行っていない。また、特許文献1に提案されている吊下げ袋は、上端が開放されているので、四周が閉止された新聞折込の圧着チラシとして取り扱えない。
また、上端が開放された吊下げ袋は、新聞に折り込む際に、上端側から他のチラシが内部に侵入する恐れがある。ポリエチレン製の吊下げ袋は、摩擦により静電気が発生しやすく、静電気が発生すると、他のチラシやごみが付着し易い。さらに、特許文献1に提案されている吊下げ袋では、指挿通用の吊下げ穴が開設されているので、新聞に折り込む際に、折込機で丁合するときに引っかかりやすくなるという問題があった。
【０００７】
本考案は、このような従来の問題点に鑑みてなされたものであって、その目的とするところは、多色印刷が可能で、かつ、新聞折込の圧着チラシとして取り扱いが可能になり、他のチラシやごみの付着がなく、折込機の丁合の際に引っかかる恐れがない折込広告印刷物を提供することにある。
【課題を解決するための手段】
【０００８】
上記目的を達成するため、本考案は、表面部と裏面部とを有する長方形状の紙製袋体と、前記表面部およびまたは裏面部に設けられた広告宣伝用の文字や模様からなる印刷部とを備えた折込広告印刷物であって、前記紙製袋体の下部に、紙を前記表面部から裏面部側に折り返すこと、または、前記表面部と裏面部とを接着することで形成される難剥離性閉止部と、前記紙製袋体の両側部に、前記表面部と裏面部とを接着することで形成される難剥離性閉止部と、前記紙製袋体の上部側に、前記表面部と裏面部とを一過性接着剤で接着することで形成される剥離可能な閉止部と、前記紙製袋体の上部側に位置し、表裏面に位置対応して設けられた一対のミシン目部とを備え、前記広告宣伝用文字には、販売・展示場の情報と共に、前記紙製袋体を販売・展示場に持参すると、前記袋体の上部側の剥離可能な閉止部を開封し、景品を当該袋体内に詰めこむことができることの表示内容が含まれるとともに、前記ミシン目部は、ミシン目を連続させて、上方に折畳むと、前記袋体を貫通する指挿通孔を形成するようにした。
【０００９】
このように構成した折込広告印刷物によれば、袋体が紙製なので、紙はポリエチレンよりも伸び縮みが小さいので、版ズレを起こす危険性がなく、オフセット輪転機で多色印刷が可能になり、単色印刷の場合よりも、見る人の興味を惹くことができる。また、紙製の袋体は、ポリエチレンのように静電気が発生しないので、他のチラシやごみの付着か発生しない。
【００１０】
さらに、袋体は、下部には、紙を前記表面部から裏面部側に折り返すこと、または、表面部と裏面部とを接着することで難剥離性閉止部が形成され、両側部には、表面部と裏面部とを接着することで難剥離性閉止部が形成されるとともに、上部側には、表面部と裏面部とを一過性接着剤で接着することで剥離可能な閉止部が形成されていて、四周か閉止された長方形状になっているので、新聞折込用の圧着チラシとして取り扱うことが可能になり、経済的な効果も得られる。
またさらに、袋体に開放した箇所がないので、新聞に折り込む際に、上端側から他のチラシが内部に侵入する恐れもないし、袋体を貫通する指挿通孔は、ミシン目部を連続させる前には、紙製袋体の上部側にあって、表裏面に位置対応して設けられた一対のミシン目部となっていて、袋体の表裏面から離脱することなく一体になっているので、新聞に折り込む際に、折込機で丁合するときに引っかかることもない。
【００１１】
また、前記ミシン目部は、最下端に下方に突出する舌片が設けられた下方に湾曲した円弧状に形成され、前記指挿通孔を細長い小判状に形成するとともに、前記ミシン目を連続させて、上方に折り畳んだときに、前記舌片を挿入するスリットを設けることができる。
【００１２】
この構成によれば、ミシン目部を連続させて、上方に折り畳んだときに、最下端に突出している舌片をスリットに挿入すると、細長い小判状の指挿通孔の上部には、袋体の紙面を二重に積層した部分が形成されるので、指挿通孔の補強効果が得られる。
【００１３】
前記袋体は、上端側に表面側の紙面を裏面側の紙面よりも短くして、段差部を設け、当該段差部を前記剥離可能な閉止部の引き離し用の開封代とすることができる。
【００１４】
この構成によれば、袋体の上部に設けられている一過性接着剤で接着された剥離可能な閉止部の引き離しが容易に行える。
【００１５】
前記袋体は、上端縁から所定の間隔を隔ててその下方に位置し、かつ、前記ミシン目部から上方に所定の間隔を隔てた位置にあって、前記上端縁と平行に延びる折り返し用のミシン目部を設けることができる。
【００１６】
この構成によれば、袋体内に景品を入れた状態で、ミシン目部を介して、その上方側の部分を袋体の内方に折り返すと、袋体の蓋となる。前記紙製袋体は、その内面側の前記閉止部を形成するための接着剤塗布領域以外の領域に、撥水性の顔料インクを塗布することができる。この構成によれば、例えば、景品が小型の野菜や果物のように水分を含む場合には、紙製袋体が吸水して破断することや、閉止部形成用の接着剤が飛散して、袋体の解放を困難にすることも防止できる。
【考案の効果】
【００１７】
本考案にかかる折込広告印刷物によれば、多色印刷が可能で、かつ、新聞折込の圧着チラシとして取り扱いが可能になり、他のチラシやごみの付着がなく、折込機の丁合の際に引っかかる恐れもない。
【図面の簡単な説明】
【００１８】
【図１】本考案に係る折込広告印刷物の一実施例を示す平面図である。
【図２】図１に示した印刷物のミシン目部の拡大図である。
【図３】図１に示した広告印刷物の使用状態における要部断面図である。
【図４】図１に示した折込広告印刷物の作製前の展開図である。
【考案を実施するための最良の形態】
【００１９】
以下、本考案の好適な実施の形態について、添付図面に基づいて詳細に説明する。図1から図4は、本考案にかかる折込広告印刷物の第1実施例を示している。これらの図に示した折込広告印刷物１０は、図1にその全体構成を示すように、紙製の袋体１２と、広告宣伝用の文字や模様からなる印刷部１４とを有している。
【００２０】
紙製袋体１２は、本実施例の場合、１枚の紙から構成され、表面部１２ａと裏面部１２ｂとを有し、長方形状に形成されている。紙製袋体１２の下部には、紙を表面部１２ａから裏面部１２ｂ側に折り返すことで閉止部１６が形成されている。この閉止部１６の両端から上方に伸びる紙製袋体１２の右および左側面部には、表面部１２ａと裏面部１２ｂの両端側を所定の幅で接着することで難剥離性閉止部１８が形成されている。また、袋体12の上部側には、表面部１２ａと裏面部１２ｂの上端側を所定の幅で、一過性接着剤で接着することで剥離可能な閉止部２０が形成されている。
【００２１】
本実施例の場合、袋体１２の上端には、表面部１２ａの長手方向の長さを裏面部１２よりも短くして、裏面部１２ｂが所定の幅だけ上方に突出する段差部２１を設けており、剥離可能な閉止部２０は、段差部２１の下方に配置されている。この段差部２１は、剥離可能な閉止部２０の引き離し用の開封代とするものであって、たとえば、段差部２１には、ここから開いてくださいといった文字を印刷することもできる。
【００２２】
このような段差部２１を設けると、袋体１２の上部に設けられている剥離可能な閉止部２０の位置が明確に示され、その引き離しが容易に行える。なお、紙製袋体１２を２枚の紙面で構成する場合には、袋体１２の下部には、上記両側部と同様に、表面部１２ａと裏面部１２ｂの下端側を所定の幅で接着することで難剥離性閉止部１８を形成して、袋体１２の下部を閉止することもできる。
【００２３】
印刷部１４は、本実施例の場合には、発表会イベントの開催情報が、日時や時間と共に表記されるとともに、紙製袋体１２をイベント会場に持参すると、袋体１２の上部側の剥離可能な閉止部２０を開封して、景品（菓子）を当該袋体１２内に詰めこむことができることの表示内容が含まれている。これらの印刷部１４は、本実施例の場合には、袋体１２の表面部１２ａに印刷されているが、裏面部１２ｂ側にも同じ内容の印刷部１４を設けてもよいし、また、裏面部１２ｂ側だけに印刷部１４を設けることもできる。なお、景品は、菓子に限る必要はなく、各種の野菜類や果実名とであってよい。
【００２４】
本実施例の紙製袋体１２には、袋体１２を貫通する指挿通孔２２となるミシン目部２４が設けられている。ミシン目部２２は、紙製袋体１２の上部側に位置し、表裏面に位置対応して設けられた一対から構成されている。なお、図１には、表面部１２ａ側に設けられたミシン目部２４しか示していないが、裏面部１２ｂ側にも同様のミシン目部２４が設けられている。
【００２５】
本実施例の場合、ミシン目部２４は、最下端に下方に突出する舌片２４ａが設けられた下方に湾曲した円弧状に形成されている。このように構成したミシン目部２４では、間欠的に貫通孔が形成されている箇所を連続させて、上方に折畳むと、図２に部分の拡大して示すように、細長い小判状の貫通孔が形成され、この貫通孔が指挿通孔２２となる。このとき、ミシン目部２４の舌片２４ａは、ミシン目部２４の上方に所定の間隔を隔てて設けられているスリット２６内に挿入する。
【００２６】
このようなミシン目部２４の構成によれば、ミシン目を連続させて、上方に折り畳んだときに、最下端に突出している舌片２４ａをスリット２６に挿入すると、細長い小判状の指挿通孔２２の上部には、袋体１２の紙面を二重に積層した部分が形成されるので、指挿通孔２２の補強効果が得られるとともに、ミシン目部２４が下方に離脱することも防げる。
【００２７】
本実施例の場合、袋体１２には、折り返し用のミシン目部２８が設けられている。このミシン目部２８は、袋体１２の上端縁から所定の間隔を隔ててその下方に位置し、かつ、ミシン目部２４の上方に設けられたスリット２６から上方に所定の間隔を隔てた位置に配置され、袋体１２の上端縁と平行に延びて、横断している。なお、本実施例の場合、剥離可能な閉止部２０は、図1にその形成範囲をハッチングで示すように、ミシン目部２８の位置まで到達するように、逆凹状に形成されている。
【００２８】
ミシン目部２８は、指挿通孔２２を形成するミシン目部２４と異なり、ミシン目を連続させることはなく、剥離可能な閉止部２０を開いて、袋体１２内に景品を入れた状態で、ミシン目部２８を介して、その上方側の部分を袋体１２の内方に折り返すと、袋体１２の上部を塞ぐ蓋となる。
【００２９】
次に、上記構成の折込広告印刷物１０の使用法について説明する。印刷物１０を使用する際には、まず、袋体１２の上部側に設けられている剥離可能な閉止部２０を開封する。この場合、袋体１２の上端に段差部２１が設けられていて、表面部１２ａの上端縁が裏面部１２ｂの上面よりも、紙の厚みだけ上方に突出しているので、この突出した端縁に指の腹を掛けると、容易に開くことができる。剥離可能な閉止部２０が開封されると、袋体12は、図３に断面を示すように、所定の厚みを有する長円状に広げることができるので、袋体１２内に景品を詰めることが可能になる。景品が詰められると、ミシン目部２８を介して、その上方側を内側に折り返すと、袋体１２の上部を閉塞することができる。また、この際に、ミシン目部２４のミシン目を連続させて、これを上方に折り込むと、指挿通孔２２が形成されるので、指を挿通孔２２に挿入させて、景品が詰め込まれた袋体１２を持つことができる。
【００３０】
続いて、上記構成の折込広告印刷物１０の製作方法について説明する。図４は、印刷物１０の展開図である。本実施例の場合には、印刷物１０の袋体１２は、１枚の紙から構成されている。紙の中央に示した仮想線の左側が表面部１２ａとなり、右側が裏面部１２ｂとなる。仮想線の位置は、紙の長手方向の中心から、段差部２１の幅だけ左方向に寄った位置になっている。仮想線の位置で折り返すと、袋体１２の下部の閉止部１６が形成される。
【００３１】
表面部１２ａの左端側と裏面部１２ｂの右端側には、端部から所定の間隔を隔てた位置に折り返し用のミシン目部２８がそれぞれ設けられている。また、これらのミシン目部２８から所定の感覚を隔てて、スリット２６とミシン目部２４とが設けられている。
【００３２】
表面部１２ａの左端の裏面には、所定の幅で一過性の接着剤Ａが塗布されている。接着剤Ａは、ミシン目部２８の位置まで到達するように凹状になっている。表面部１２ａと裏面部１２ｂの上下端の裏面には、所定幅の接着剤Ｂが塗布されており、この接着剤Ｂは、接着効果が一過性でなく、剥離が困難な通常の接着剤である。接着剤Ｂは、表面部１２ａと裏面部１２ｂのミシン目部２８間で連続するように形成されている。なお、本実施例の場合、紙製袋体１０は、その内面側の閉止部１８，２０を形成するための接着剤Ａ，Ｂの塗布領域以外のぼぼ全領域に、撥水性の顔料インクＣを塗布している。顔料インクＣは、粒子が大きく、粒子の小さい染料インクより耐水性、撥水性がある。塗布するインクに顔料が多く含まれていれば、撥水効果が期待できる。また、顔料インクＣは、鮮明さを演出するために使われ、色彩も黄色などの鮮やかなものとなる。鮮やかな色彩の顔料インクＣを施すと、以下の効果が得られる。例えば、景品が小型の野菜や果物のように水分を含む場合には、紙製袋体１０が吸水して破断することや、閉止部形成用の接着剤Ａ，Ｂが飛散して、袋体１０の解放を困難にすることも防止できる。以上のように構成された１枚の紙面を、仮想線の位置で折り返して、接着剤Ａ，Ｂで、表面部１２ａの裏面部１２ｂとを接着すると、図1に示した折込広告印刷物１０が得られる。
【００３３】
さて、以上のように構成した折込広告印刷物１０によれば、以下の作用効果が得られる。まず、袋体１２が紙製なので、紙はポリエチレンよりも伸び縮みが小さいので、版ズレを起こす危険性がなく、オフセット輪転機で多色印刷が可能になり、単色印刷の場合よりも、見る人の興味を惹くことができる。また、紙製の袋体１２は、ポリエチレンのように静電気が発生しないので、他のチラシやごみの付着か発生しない。
【００３４】
さらに、袋体１２は、下部には、紙を表面部１２ａから裏面部１２ｂ側に折り返すことで閉止部１６が形成され、両側部には、表面部１２ａと裏面部１２ｂとを接着することで難剥離性閉止部１８が形成されるとともに、上部側には、表面部１２ａと裏面部１２ｂとを一過性接着剤で接着することで剥離可能な閉止部２０が形成されていて、四周か閉止された長方形状になっているので、新聞折込用の圧着チラシとして取り扱うことが可能になり、経済的な効果も得られる。
【００３５】
またさらに、袋体１２に開放した箇所がないので、新聞に折り込む際に、上端側から他のチラシが内部に侵入する恐れもないし、袋体を貫通する指挿通孔２２は、ミシン目部２４を連続させる前には、紙製袋体１２の上部側にあって、表裏面に位置対応して設けられた一対のミシン目部２４となっていて、袋体１２の表裏面から離脱することなく一体になっているので、新聞に折り込む際に、折込機で丁合するときに引っかかることもない。
【符号の説明】
【００３６】
１０：折込広告印刷物
１２：袋体
１４：印刷部
１６：閉止部
１８：難剥離性閉止部
２０：剥離可能な閉止部
２２：指相通孔
２４：ミシン目部
２６：スリット
【図１】
0003181579.tif 000003
【図２】
0003181579.tif 000004
【図３】
0003181579.tif 000005
【図４】
0003181579.tif 000006